(57)【要約】【課題】電子機器において、設定変更の際のユーザーの使い勝手を向上させる。【解決手段】ユーザーが第１設定画面に含まれる第１設定項目に対して設定した設定値が既に設定されている第２設定項目の設定値と整合するか否かを判定する判定部と、整合しない場合に、前記第２設定項目を含む第２設定画面を呼び出すショートカット操作部を前記第１設定画面に追加する追加部と、整合する場合に、前記ショートカット操作部とは異なる第１操作部への操作を受け付けると、前記第１設定画面から前記第２設定画面を呼び出す操作受付処理部と、を備える電子機器を構成する。【選択図】図１
2020017166.tif 000002
【特許請求の範囲】
【請求項１】
ユーザーが第１設定画面に含まれる第１設定項目に対して設定した設定値が既に設定されている第２設定項目の設定値と整合するか否かを判定する判定部と、
整合しない場合に、前記第２設定項目を含む第２設定画面を呼び出すショートカット操作部を前記第１設定画面に追加する追加部と、
整合する場合に、前記ショートカット操作部とは異なる第１操作部への操作を受け付けると、前記第１設定画面から前記第２設定画面を呼び出す操作受付処理部と、
を備える電子機器。
【請求項２】
前記第２設定画面は、前記第２設定項目を設定するための専用の画面である、
請求項１に記載の電子機器。
【請求項３】
前記第１操作部は、前記第１設定画面から間接的に前記第２設定画面を呼び出す操作部である、
請求項２に記載の電子機器。
【請求項４】
前記追加部は、
前記第１設定項目の設定値と前記第２設定項目の設定値とが整合しない場合であって、前記第２設定項目の設定値を不整合が解消するように自動的に変更しない場合は、前記ショートカット操作部を、不整合が生じたままの状態であることを示す第１態様で追加し、
前記第１設定項目の設定値と前記第２設定項目の設定値とが整合しない場合であって、前記第２設定項目の設定値を不整合が解消するように自動的に変更した場合は、前記ショートカット操作部を、前記第１態様とは異なる第２態様で追加する、
請求項１〜請求項３のいずれかに記載の電子機器。
【請求項５】
前記追加部は、第１条件が成立したことに応じて前記第１態様の前記ショートカット操作部を前記第１設定画面から削除し、第２条件が成立したことに応じて前記第２態様の前記ショートカット操作部を前記第１設定画面から削除し、
前記第１条件と前記第２条件とは異なる条件である、
請求項４に記載の電子機器。
【請求項６】
コンピューターを、
ユーザーが第１設定画面に含まれる第１設定項目に対して設定した設定値が既に設定されている第２設定項目の設定値と整合するか否かを判定する判定部、
整合しない場合に、前記第２設定項目を含む第２設定画面を呼び出すショートカット操作部を前記第１設定画面に追加する追加部、
整合する場合に、前記ショートカット操作部とは異なる第１操作部への操作を受け付けると、前記第１設定画面から前記第２設定画面を呼び出す操作受付処理部、
として機能させる表示制御プログラム。
【発明の詳細な説明】
【技術分野】
【０００１】
本発明は、電子機器、表示制御プログラムに関する。
【背景技術】
【０００２】
従来、プリンターや複合機において、設定が競合する場合に競合が解消するように設定を自動的に変更する手法が知られている。特許文献１には、設定を自動的に変更した後、競合していた双方の設定箇所の表示を装飾することが記載されている。
【先行技術文献】
【特許文献】
【０００３】
【特許文献１】特開２０１６−２０６８２７号公報
【発明の概要】
【発明が解決しようとする課題】
【０００４】
不整合が生じている設定項目が別画面にある場合、別画面の当該設定項目の箇所に容易にアクセスできると、ユーザーの使い勝手を向上させることができる。
本発明は、電子機器において、設定変更の際のユーザーの使い勝手を向上させることを目的とする。
【課題を解決するための手段】
【０００５】
上記目的を達成するための電子機器は、ユーザーが第１設定画面に含まれる第１設定項目に対して設定した設定値が既に設定されている第２設定項目の設定値と整合するか否かを判定する判定部と、整合しない場合に、第２設定項目を含む第２設定画面を呼び出すショートカット操作部を第１設定画面に追加する追加部と、整合する場合に、ショートカット操作部とは異なる第１操作部への操作を受け付けると、第１設定画面から第２設定画面を呼び出す操作受付処理部と、を備える。なお、本願において、第１設定項目の設定値と第２設定項目の設定値とが整合しているとは、第１設定項目の設定値と第２設定項目の設定値とをともに設定した状態で目的の処理の実行が可能ということであり、第１設定項目の設定値と第２設定項目の設定値とが整合していない、或いは不整合であるとは、第１設定項目の設定値と第２設定項目の設定値とをともに設定した状態では目的の処理の実行ができない又は目的の処理の実行を禁止している、目的の処理を実行するためには少なくとも一方の設定値を変更する必要がある、ことを意味する。
【０００６】
すなわち、既に設定されている第２設定項目の設定値と、後から設定された第１設定項目の設定値とが整合しない場合に、第２設定項目を含む第２設定画面を呼び出すショートカット操作部が第１設定画面に追加される。ショートカット操作部は、第２設定画面を直接的に呼び出すことが可能な操作部である。したがって、新たに追加されたショートカット操作部に対する操作を行うことで、ユーザーは容易に第２設定画面を表示させ、第２設定項目の設定値の確認や変更を行うことができる。その結果、電子機器における設定変更の際のユーザーの使い勝手を向上させることができる。なお、ユーザーは、第１操作部に対して操作を行うことによって、第２設定項目の設定値と第１設定項目の設定値とが整合する場合にも、第２設定画面を表示させて第２設定項目の設定値の確認や変更を行うことができる。
【０００７】
さらに、第２設定画面は、第２設定項目を設定するための専用の画面である構成であってもよい。
この構成によれば、第２設定画面に第２設定項目以外の設定項目が含まれる構成と比較すると、ユーザーは第２設定画面の中から容易に第２設定項目を探し当てることができる。
【０００８】
さらに、第１操作部は、第１設定画面から間接的に第２設定画面を呼び出す操作部である構成であってもよい。
この構成によれば、第１設定画面の第１操作部に対して操作を行うことにより、ユーザーは別の画面を表示させることができる。そして、当該別の画面において第２設定画面を呼び出す操作がなされると第２設定画面を表示させることができる。したがって、第１操作部に対する操作をきっかけとして、第１設定画面から別の画面を経て第２設定画面を表示させることができる。
【０００９】
さらに、追加部は、第１設定項目の設定値と第２設定項目の設定値とが整合しない場合であって、第２設定項目の設定値を不整合が解消するように自動的に変更しない場合は、ショートカット操作部を、不整合が生じたままの状態であることを示す第１態様で追加し、第１設定項目の設定値と第２設定項目の設定値とが整合しない場合であって、第２設定項目の設定値を不整合が解消するように自動的に変更した場合は、ショートカット操作部を、第１態様とは異なる第２態様で追加する構成であってもよい。
この構成によれば、第２設定項目の設定値と第１設定項目の設定値との不整合が解消するように設定値を自動変更した場合と自動変更しない場合とを区別してユーザーに認識させることができる。
【００１０】
さらに、追加部は、第１条件が成立したことに応じて第１態様のショートカット操作部を第１設定画面から削除し、第２条件が成立したことに応じて第２態様のショートカット操作部を第１設定画面から削除し、第１条件と第２条件とは異なる条件である構成であってもよい。
すなわち、第１態様のショートカット操作部の表示解除条件である第１条件（第２条件とは異なる）の成立に応じて、第１態様のショートカット操作部を第１設定画面から削除することができる。また、第２態様のショートカット操作部の表示解除条件である第２条件（第１条件とは異なる）の成立に応じて、第２態様のショートカット操作部を第１設定画面から削除することができる。したがって第１態様のショートカット操作部と第２態様のショートカット操作部をそれぞれ適切なタイミングで第１設定画面から削除することができる。
【００１１】
上記目的を達成するための表示制御プログラムは、コンピューターを、ユーザーが第１設定画面に含まれる第１設定項目に対して設定した設定値が既に設定されている第２設定項目の設定値と整合するか否かを判定する判定部、整合しない場合に、第２設定項目を含む第２設定画面を呼び出すショートカット操作部を第１設定画面に追加する追加部、整合する場合に、ショートカット操作部とは異なる第１操作部への操作を受け付けると、第１設定画面から第２設定画面を呼び出す操作受付処理部、として機能させる。
この表示制御プログラムによると、新たに追加されたショートカット操作部に対する操作を行うことで、ユーザーは容易に第２設定画面を表示させ、第２設定項目の設定値の確認や変更を行うことができる。その結果、電子機器における設定変更の際のユーザーの使い勝手を向上させることができる。
【図面の簡単な説明】
【００１２】
【図１】複合機の構成を示すブロック図。
【図２】ショートカット操作部追加処理を示すフローチャート。
【図３】例１のシーケンス図。
【図４】第１実施形態にかかる基本設定画面を示す図。
【図５】第１実施形態にかかるその他の設定画面を示す図。
【図６】ＩＤカードコピー設定画面を示す図。
【図７】ＩＤカードコピー設定画面を示す図。
【図８】第１実施形態にかかるその他の設定画面を示す図。
【図９】第１実施形態にかかるその他の設定画面を示す図。
【図１０】ショートカット操作部に対する操作のシーケンス図。
【図１１】例２のシーケンス図。
【図１２】倍率設定画面を示す図。
【図１３】第１実施形態にかかる基本設定画面を示す図。
【図１４】ショートカット操作部に対する操作のシーケンス図。
【図１５】倍率設定画面を示す図。
【図１６】第２実施形態にかかる基本設定画面を示す図。
【図１７】例３のシーケンス図。
【図１８】第２実施形態にかかる基本設定画面を示す図。
【図１９】第２実施形態にかかる基本設定画面を示す図。
【図２０】第２実施形態にかかる基本設定画面を示す図。
【発明を実施するための形態】
【００１３】
ここでは、下記の順序に従って本発明の実施の形態について説明する。
（１）第１実施形態：
（１−１）複合機の構成：
（１−２）例１：
（１−３）例２：
（２）第２実施形態：
（２−１）例３：
（２−２）例４：
（３）他の実施形態：
【００１４】
（１）第１実施形態：
（１−１）複合機の構成：
図１は、本発明の実施形態にかかる電子機器としての複合機１の構成を示すブロック図である。複合機１は、プロセッサー１０と、不揮発性メモリー２０と、タッチパネルディスプレイ３０と、通信部４０と、印刷部５０と読取部６０とを備える。プロセッサー１０は、図示しないＣＰＵやＲＯＭやＲＡＭ等を備え、不揮発性メモリー２０に記録された種々のプログラムを実行し複合機１の各部を制御することができる。
【００１５】
タッチパネルディスプレイ３０は、表示パネルと、表示パネルに重ねられたタッチパネルとを備える。タッチパネルディスプレイ３０は、プロセッサー１０の制御に従って様々な情報を表示パネルに表示する。また、タッチパネルディスプレイ３０はタッチパネルに対する人の指やスタイラス等による接触（以後タッチと呼ぶ）を検出する検知機構を備え、タッチ位置をプロセッサー１０に出力する。プロセッサー１０は、検知機構から取得した上記の情報に基づいてタッチパネルディスプレイ３０に対する利用者の操作内容を取得することができ、当該操作内容に対応する処理を実行することができる。
【００１６】
通信部４０は、複合機１に装着された各種のリムーバブルメモリーや、有線または無線で複合機１に接続された機器と通信するためのインターフェース回路を含む。プロセッサー１０は、当該通信部４０を介して接続された機器に記録されたファイルを印刷対象として取得することができる。また、通信部４０は、インターフェース回路を介して外部の装置との間でＦＡＸ文書の送受信を行うことが可能である。
【００１７】
印刷部５０は、インクジェット方式や電子写真方式等の周知の印刷方式で種々の印刷媒体に印刷を実行するためのアクチュエーターやセンサー、駆動回路、機械部品等を備えている。本実施形態において、印刷部５０は、複数のトレイのそれぞれに原稿を蓄積することが可能である。印刷部５０は、各トレイに蓄積された原稿を一枚ずつ選び出し、搬送経路内を搬送し、搬送の過程で印刷された原稿を排出する搬送機構を有している。なお、本実施形態においては、印刷部５０が備えるトレイから選び出されて印刷される原稿を出力原稿と呼び、その大きさを出力原稿サイズと呼ぶ。
【００１８】
読取部６０は、原稿の読み取りを行うための装置、例えば、周知のカラーイメージセンサーや光源、原稿を搬送するためのアクチュエーターや駆動回路や原稿のサイズを検出するためのセンサー、機械部品等を備えている。読取部６０は、原稿台にセットされた原稿を一枚ずつ選び出し、搬送経路内を搬送し、光源からの光が照射された原稿からの光によってスキャンされた後の原稿を排出する搬送機構を有している。なお、本実施形態において、読取部６０は、原稿の片面または両面を読み取ることができる。また、本実施形態においては、読取部６０が備える原稿台にセットされた原稿をセット原稿と呼び、その大きさをセット原稿サイズと呼ぶ。
【００１９】
本実施形態においてプロセッサー１０は、読取部６０を制御して読取部６０の原稿台にセットされたセット原稿をスキャンし、印刷部５０を制御してスキャンした画像を出力原稿に印刷することができる。すなわち、複合機１はコピー機能を有している。この意味で、印刷部５０と読取部６０とプロセッサー１０は、コピー装置であると言える。複合機１においては、コピー以外の機能も実行可能であるが、以後においては主にコピー機能について着目して実施形態を説明する。
【００２０】
不揮発性メモリー２０には、プロセッサー１０が実行する図示しないプログラムや設定データ２０ａ、整合性情報２０ｂ、表示データ２０ｃが記録される。設定データ２０ａは、複合機１において各種の処理を実行する際の設定を示すデータである。本実施形態においては、例えば、コピー機能であれば、出力原稿に記録される記録剤の色や、印刷濃度、画像の種類、出力原稿、印刷面、ページ集約、綴じ位置、詳細画質調整、コピー倍率、とじしろ、影消し、パンチ穴消し、ＩＤカードコピー等の設定項目について設定が可能である。
【００２１】
記録剤の色としては、モノクロ、カラーのいずれかを設定可能である。印刷濃度としては、記録剤の濃さを示す数値（例えば、基準からの相対値（％）を示す値等）を設定可能である。画像の種類としては、文字のみ、文字と写真との混在、写真のみのいずれかを設定可能である。出力原稿としては、出力原稿の種類（Ａ４，Ａ３，Ｂ４，Ｂ５等の大きさや、普通紙，写真紙等の用紙種別）を設定可能である。本実施形態において、出力原稿はトレイに蓄積され、トレイの選択と出力原稿の種類の選択とが同等の意味をなすため、出力原稿の設定がトレイの設定であっても良い。
【００２２】
印刷面としては、セット原稿の表裏の画像を出力原稿の表裏のいずれに印刷するのかを設定可能である。例えば、片面から片面への印刷や片面から両面への印刷等を設定可能である。ページ集約としては、出力原稿の一面に対して何枚分の画像を割り付けるのか（何枚分の画像を出力原稿の一面に集約するか）を設定可能である。例えば、一面に対して１枚分の画像を割り付ける通常の設定（ページ集約しない）や、一面に対してｎ毎分（ｎは２以上の整数）を割り付けるｎイン１の設定等を選択可能である。綴じ位置としては、複数部の印刷を行った場合に綴じるべき部分を設定可能である。例えば、左上、左、上、左下等に綴じ位置を設定可能である。
【００２３】
詳細画質設定は、コントラスト、鮮やかさ、色調補正、シャープネス、色相調整、背景除去等の画質に関する詳細な設定項目を含む。コピー倍率としては、画像を変倍する倍率を示す値を設定可能である。倍率は、任意の値であっても良いし固定の値であっても良いが、本実施形態においては、等倍（倍率１００％）、自動（出力原稿サイズ／セット原稿サイズ）、既定の原稿サイズから変倍する既定の倍率のいずれかを設定可能である。ここで、既定の原稿サイズは、各種の規格で決められた原稿サイズであり、本実施形態においては、Ａ４，Ａ３，Ｂ４，Ｂ５等である。従って、既定の原稿サイズから変倍する既定の倍率としては、Ａ３からＡ４に縮小する倍率（７０％）やＢ４からＢ５に拡大する倍率（１４１％）等が上げられる。
【００２４】
とじしろとしては、とじしろ機能のオフまたはオンを設定可能である。とじしろ機能がオンの場合は、さらに、両面コピー時の原稿の綴じ位置や綴じ幅等を設定可能である。影消しとしては、影消し機能のオフまたはオンを設定可能である。影消し機能がオンの場合は、さらに、対象となる影の位置等を設定可能である。パンチ穴消しとしては、パンチ穴消し機能のオフまたはオンを設定可能である。パンチ穴消し機能がオンの場合、さらに、パンチ穴の位置等を設定可能である。
【００２５】
ＩＤカードコピーとしては、ＩＤカードコピー機能のオフまたはオンを設定可能である。ＩＤカードコピー機能は、運転免許証や健康保険証、名刺等の両面をスキャンし、出力原稿の片面に並べてコピーする機能である。ＩＤカードコピー機能がオンの場合は、原稿セット方向として上向きまたは左向きを設定可能である。
【００２６】
むろん、各種の項目において、設定が自動的に行われる状態であっても良く、この場合、複合機１が備えるセンサーによって検出した情報（例えば、セット原稿サイズ等）やデフォルト等によって設定が行われればよい。設定データ２０ａは、以上のような各設定項目のそれぞれについて現在選択中の設定を示す値（設定値）を対応づけたデータである。すなわち、各設定には数値等が対応づけられており、各設定項目に対して選択中の設定を示す数値が対応づけられることによって設定データ２０ａとされ、不揮発性メモリー２０に記録される。
【００２７】
整合性情報２０ｂは、２以上の設定項目間において、不整合となる設定値の組み合わせを特定できるようにする情報である。例えば、第１設定項目に該当しうる設定項目の設定値ごとに、第２設定項目に該当しうる設定項目の各設定値との整合、または、不整合が定義されている。第１設定項目に該当しうる設定項目の設定値ごとに、整合する第２設定項目に該当しうる設定項目の各設定値のみが定義されていたり、第１設定項目に該当しうる設定項目の設定値ごとに、不整合となる第２設定項目に該当しうる設定項目の各設定値のみが定義されていたり、してもよい。また、不整合と定義された組み合わせにおいては、第２設定項目の設定値を自動変更しない第１パターンか自動変更する第２パターンのいずれか（詳細は後述する）を示す自動変更情報が整合性情報２０ｂに定義されている。また第２パターンの場合、第２設定項目の自動変更後の設定値（第１設定項目の設定値と不整合とならない設定値）が整合性情報２０ｂに定義されている。ただし、第１パターンと第２パターンとのいずれかのみを実行する装置であれば、自動変更情報は定義されていなくてもよい。また、第１パターンのみを実行する装置であれば、自動変更後の設定値は定義されていなくても良い。
【００２８】
表示データ２０ｃは、タッチパネルディスプレイ３０に表示する画面を構成するオブジェクト（例えばアイコンやボタン等の操作部や、文字等）の画像を示すデータである。プロセッサー１０は、表示データ２０ｃを用いて様々なオブジェクトを含む画面を構成しタッチパネルディスプレイ３０に表示することができる。
【００２９】
本実施形態においてユーザーは、タッチパネルディスプレイ３０に表示される画面を利用してコピーの設定を行うことができる。またユーザーは、複数の設定項目のそれぞれについて選択肢を選択して設定を行うことができる。しかし、各項目において選択可能な設定値の全てを１画面に表示すると仮定すると、広い表示エリアが必要になるか、または、個々の選択肢を示すアイコン等が非常に小さくなってしまう。
【００３０】
そこで、本実施形態においてプロセッサー１０は、設定を行うための画面として最初に表示される基本設定画面（第１設定画面に相当する）に、複数の設定項目のそれぞれにおいて、選択可能な選択肢の一部のみを表示する。そして、基本設定画面に表示されていない選択肢は、当該設定項目の専用の設定画面内で設定できるように構成されている。当該設定項目専用の設定画面は、基本設定画面から呼び出すことができる。
【００３１】
図４は、第１実施形態における、コピー機能の基本設定画面を示す図である。本実施形態においては、図４に示すように、基本設定画面には次の設定項目が含まれる。すなわち、出力原稿に記録される記録剤の色（選択肢としてボタンＢｍｌ、Ｂｃｌ）、印刷濃度（印刷濃度設定画面を呼び出すボタンＢｄｅ）、画像の種類（選択肢としてボタンＢｌｌ、Ｂｌｉ、Ｂｉｉ）、出力原稿（選択肢としてボタンＢｔａ、Ｂｔ１、Ｂｔ２、Ｂｔ３、Ｂｔ４、Ｂｔ５）、印刷面（選択肢としてボタンＢｏｏ、Ｂｏｂと詳細ボタンＢ２２）、ページ集約（選択肢としてボタンＢｏｏ２、Ｂｏｂ２と詳細ボタンＢ２３）、綴じ位置（選択肢としてボタンＢｌｕ、Ｂｌｌ、Ｂｕｕ、Ｂｌｂ）が含まれている。なお、基本設定画面に含まれる設定項目の種類は、上記以外の組み合わせであってもよい。もちろんユーザーがカスタマイズできてもよい。
【００３２】
なお、基本設定画面に含まれないその他の設定項目については、その他の設定画面、または、その他の設定画面を経由して呼び出し可能な各設定項目の専用の設定画面にて設定可能である。その他の設定画面は、基本設定画面のその他の設定ボタンＢｓｏ（図４を参照）を操作することで呼び出すことができる。図５は、本実施形態における、コピー機能のその他の設定画面を示す図である。本実施形態においては、図５に示すように、その他の設定画面には次の設定項目が含まれる。すなわち、詳細画質調整（詳細画質調整設定画面を呼び出すボタンＢｉｑ）、コピー倍率（選択肢としてボタンＢｃｅ、Ｂｃａ、Ｂｃ１、Ｂｃ２と詳細ボタンＢ２１）、とじしろ（選択肢としてボタンＢｂｍ１、Ｂｂｍ２と詳細ボタンＢ２４）、影消し（選択肢としてボタンＢｓｈ１、Ｂｓｈ２と詳細ボタンＢ２５）、パンチ穴消し（選択肢としてボタンＢｐｈ１、Ｂｐｈ２と詳細ボタンＢ２６）、ＩＤカードコピー（選択肢としてボタンＢｉｃ１、Ｂｉｃ２と詳細ボタンＢ２７）が含まれている。なおこれらは一例であり、他の設定項目が含まれる等種々の態様を想定してよい。
【００３３】
図４や図５に示すように、詳細ボタンＢ２１、Ｂ２２、Ｂ２３、Ｂ２４、Ｂ２５、Ｂ２６、Ｂ２７は、これらの詳細ボタンがそれぞれ対応付けて表示されている設定項目の専用の設定画面を呼び出すための操作部である。例えば図５に示すＩＤカードコピーの詳細ボタンＢ２７が操作されると、図６に示すように、ＩＤカードコピー機能の専用の設定画面（ＩＤカードコピー設定画面）に遷移する。このＩＤカードコピー設定画面において、ＩＤカードコピー機能のオフまたはオンを設定可能であり、ＩＤカード機能がオンに設定された場合は、さらに、原稿セット方向として、上向きまたは左向きを設定可能である。
【００３４】
プロセッサー１０（コンピューターに相当）は、不揮発性メモリー２０に記録された種々のプログラムによって複合機１の各部を制御する。これらのプログラムには、複合機１の状態やユーザーの操作に応じてタッチパネルディスプレイ３０に各種の画面を表示するための表示制御プログラム１１が含まれる。本実施形態において表示制御プログラム１１は、設定画面がタッチパネルディスプレイ３０に表示されている状態でユーザーが設定操作を行う過程で、２以上の設定項目間で設定値に不整合が生じた場合に、不整合が生じている設定項目の設定画面へのショートカットを表示する機能をプロセッサー１０に実現させる。そのため表示制御プログラム１１は、判定部１１ａと追加部１１ｂと操作受付処理部１１ｃとを備える。
【００３５】
判定部１１ａは、ユーザーが第１設定画面に含まれる第１設定項目に対して設定した設定値が既に設定されている第２設定項目の設定値と整合するか否かを判定する機能をプロセッサー１０に実現させるプログラムモジュールである。ユーザーが設定値を変更したことに応じて、プロセッサー１０は判定部１１ａの機能により、整合性情報２０ｂを参照し、新たに設定された設定項目（第１設定項目）の設定値が、既に設定済みの設定項目（第２設定項目）の設定値と不整合となるか又は整合するかを判定する。
【００３６】
追加部１１ｂは、第２設定項目の設定値と第１設定項目の設定値とが整合しない場合に、第２設定項目を含む第２設定画面を呼び出すショートカット操作部を第１設定画面に追加する機能をプロセッサー１０に実現させるプログラムモジュールである。
【００３７】
なお、第１設定項目の設定値と第２設定項目の設定値とが整合しない場合の処理パターンには次の２パターンが含まれる。第１パターンとしては、プロセッサー１０は、既に設定済みの第２設定項目の設定値を、第１設定項目の設定値との不整合が生じたまま自動的には変更しない。そしてプロセッサー１０は、第２設定項目の設定値が第１設定項目の設定値と不整合が生じたままの状態であることをユーザーに認識させるために、第１設定画面に第２設定画面へのショートカット操作部を追加する。
【００３８】
第２パターンとしては、プロセッサー１０は、既に設定済みの第２設定項目の設定値を第１設定項目の設定値との不整合が解消するように自動的に変更する。そしてプロセッサー１０は、第２設定項目の設定値を自動変更したことをユーザーに認識させるために、第１設定画面に第２設定画面へのショートカット操作部を追加する。
【００３９】
図２は、判定部１１ａと追加部１１ｂとの機能によってプロセッサー１０が実行するショートカット操作部追加処理を示すフローチャートである。図２の処理は、本実施形態においては、第１設定画面において任意の設定項目の設定値が変更されたことに応じて実行される。ショートカット操作部追加処理が開始されると、プロセッサー１０は判定部１１ａの機能により、設定値に不整合が有るか否かを判定する（ステップＳ１０）。すなわちプロセッサー１０は、整合性情報２０ｂに基づいて、複数の設定項目の設定値間において不整合が生じているか否かを判定する。
【００４０】
ステップＳ１０において設定値に不整合有と判定される場合、プロセッサー１０は追加部１１ｂの機能により、不整合が生じている設定項目の組み合わせは第２パターンに該当するか否かを整合性情報２０ｂに基づいて判定する（ステップＳ１５）。ステップＳ１５において第２パターンであると判定されない場合（すなわち第１パターンの場合）、プロセッサー１０は追加部１１ｂの機能により、第２設定項目の設定値を変更せずに第２設定画面へのショートカット操作部を第１態様で第１設定画面に追加する。
【００４１】
ステップＳ１５において第２パターンであると判定される場合、プロセッサー１０は追加部１１ｂの機能により、整合性情報２０ｂに基づいて、第２設定項目の設定値を不整合が解消するように自動変更し（ステップＳ２５）、第２設定画面へのショートカット操作部を第２態様で第１設定画面に追加する（ステップＳ３０）。
【００４２】
なお、第１パターン（自動変更しない）は、第１設定項目の設定値および第２設定項目の設定値のうちの優先させる方をユーザー自身が決定し、設定値をユーザー自身が変更することが望ましい場合に採用される。第２パターン（自動変更する）は、不整合を解消するために、新しく設定した第１設定項目よりも既に設定済みの第２設定項目の方をユーザーが変更する可能性が高い（あるいは第２設定項目の設定値の方を変更する方が紙資源等の節約の観点から望ましい）場合に採用される。
【００４３】
上述したように、プロセッサー１０は、第１パターンの場合と第２パターンの場合とで、異なる表示態様でショートカット操作部を表示する。第１パターンの場合には、不整合が生じたままの状態であることを示す第１態様でショートカット操作部を表示する。第１態様と第２態様とは相違していればよく、どのような点で相違していてもよい。例えば、第１態様は第２態様よりも、ユーザーの注意をより惹きやすい態様であってよい。本実施形態においては、第１態様のショートカット操作部は、「！」マークが付加された状態で表示される。第２態様のショートカット操作部には「！」マークが付加されない状態で表示される。第１パターンと第２パターンとで表示態様を相違させることにより、ショートカット操作部で示される第２設定項目の設定値が自動的に変更された状態なのか、あるいは、自動変更はされず不整合が生じたままの状態であるか、をユーザーに認識させることができる。
【００４４】
なお、第２設定画面は、本実施形態においては、第２設定項目を設定するための専用の画面である。追加部１１ｂの機能により第１設定画面に追加されたショートカット操作部に対する操作を行うことによって、ユーザーは第２設定画面を呼び出すことができる。第２設定画面は、第２設定項目個別の画面であるため、第２設定画面に第２設定項目以外の設定項目が含まれる構成と比較すると、ユーザーは第２設定画面の中から容易に第２設定項目を探し当てることができる。その結果、ユーザーは第２設定画面において容易に第２設定項目の設定値の確認や変更を行うことができる。
【００４５】
なお、追加部１１ｂの機能によって第１設定画面に追加されたショートカット操作部は次のような場合に第１設定画面から削除されてもよい。例えば、第１パターンの場合であって、ユーザーが第１設定項目または第２設定項目の設定値を手動で変更したことによって設定項目間の不整合が解消した場合（第１条件）に、第１設定画面から削除されてもよい。この場合、不整合が解消していない間は、第２設定画面から再び第１設定画面に戻ったとしてもショートカット操作部は削除されないようにする。また例えば、第２パターンの場合であって、ユーザーがショートカット操作部を操作して第２設定画面を呼び出した場合（第２条件）に、自動変更した第２設定項目の設定値をユーザーが了承済みであるとして、第２設定画面から再び第１設定画面に戻った際には第１設定画面からショートカット操作部が削除されていてもよい。或いは、第２パターンの場合であって、ユーザーがショートカット操作部を操作せずに閾値以上の時間が経過した場合（第２条件）も、ショートカット操作部が削除されてもよい。
【００４６】
操作受付処理部１１ｃは、第２設定項目の設定値と第１設定項目の設定値とが整合する場合に、ショートカット操作部とは異なる第１操作部への操作を受け付けると、第１設定画面から第２設定画面を呼び出す機能をプロセッサー１０に実現させるプログラムモジュールである。本実施形態においては、設定項目間に設定値の不整合が生じている場合に第１設定画面に追加されるショートカット操作部とは異なり、第１設定画面には第１操作部が定常的に含まれている。第１操作部は、追加部１１ｂの機能によって第１設定画面に追加されうるショートカット操作部とは別の操作部である。第１実施形態および第２実施形態においては、その他の設定ボタンＢｓｏが第１操作部に相当する。したがって、当該ショートカット操作部が第１設定画面に含まれていない場合に、ユーザーは第１操作部を操作することによって、第２設定画面を呼び出すことができる。もちろん、ショートカット操作部が第１設定画面に含まれている場合にも、ユーザーは第１操作部を操作することによって第２設定画面を呼び出すことが可能である。
【００４７】
なお、第１操作部は第２設定画面を呼び出すことができる操作部であるが、本実施形態においては、第１設定画面から間接的に第２設定画面を呼び出すことができる操作部である。すなわち、ユーザーは、第１設定画面の第１操作部を操作することによって、第１設定画面でも第２設定画面でもない別の画面を呼び出すことができ、当該別の画面において第２設定画面を呼び出す操作をすることにより、当該別の画面から第２設定画面を呼び出すことができる。この別の画面とは、例えば、多階層の設定画面の群の中で、第１設定画面と第２設定画面との間の階層の画面で有る。第１設定画面から第２設定画面に至るまでに経由する当該別の画面の個数は１個であってもよいし複数個であってもよい。したがって、ショートカット操作部のように第１設定画面から直接的に第２設定画面を呼び出すことはできないが、第１操作部を操作することをきっかけとしてユーザーは第１設定画面から第２設定画面を間接的に呼び出すことができる。
【００４８】
以上のように、本実施形態においては、既に設定されている第２設定項目の設定値と、後から設定された第１設定項目の設定値とが整合しない場合に、第２設定項目を含む第２設定画面を呼び出すショートカット操作部が第１設定画面に追加される。第１設定項目の設定値を変更する以前には表示していなかったショートカット操作部を追加することで、新たに追加されたショートカット操作部の存在をユーザーに認識させやすい。さらに、新たに追加されたショートカット操作部に対する操作を行うことで、ユーザーは第２設定画面を表示させ、容易に第２設定項目の設定値の確認や変更を行うことができる。その結果、電子機器において、設定変更の際のユーザーの使い勝手を向上させることができる。
【００４９】
（１−２）例１：
次に、設定項目間で設定値の不整合が生じた場合に、設定値の自動変更は行わずにショートカット操作部を追加する場合の例を、図３のシーケンス図と、図４〜図９の画面例を参照しながら説明する。図３に示すシーケンス図は、図４に示す基本設定画面（本実施形態において第１設定画面に相当）がタッチパネルディスプレイ３０に表示されている状態から始まる。
【００５０】
タッチパネルディスプレイ３０に図４に示す基本設定画面が表示されている状態で、ユーザーがその他の設定ボタンＢｓｏを操作する（タッチする）と、プロセッサー１０は操作受付処理部１１ｃの機能により、図５に示すその他の設定画面を表示する（ステップＳ１００）。
【００５１】
図５に示すその他の設定画面が表示された状態で、ユーザーが「ＩＤカードコピー」設定項目の詳細ボタンＢ２７を操作すると、プロセッサー１０は操作受付処理部１１ｃの機能により、図６に示すＩＤカードコピー設定画面（本例においては第２設定画面に相当する）を表示する（ステップＳ１０５）。
【００５２】
図６に示すＩＤカードコピー設定画面が表示されている状態で、操作部Ｓｉｃに対してユーザーがＩＤカードコピー機能をオフからオンに変更する操作を行うと、プロセッサー１０は、ユーザーの操作に従ってＩＤカードコピー機能をオンに仮設定する（ステップＳ１１０）。
【００５３】
図６は、ＩＤカードコピー機能がオフの場合のＩＤカードコピー設定画面を示しており、図７は、ＩＤカードコピー機能がオンの場合のＩＤカードコピー設定画面を示している。また図７は、原稿セット方向として上向きが選択されていることを示している。なお、もちろん、ユーザーはＩＤカード機能をオフからオンに変更する操作を行った後、原稿セット方向をデフォルト値の「上向き」から「左向き」に変更する操作を行ってもよい。なお、矩形の原稿台にＩＤカードを載置する場合に、ＩＤカードの読み取り面の上辺が原稿台の奥側（複合機１の正面を基準として）の辺と対向するように（平行または略平行となるように）読み取り面を下にして載置することが「上向き」に相当する。ＩＤカードの読み取り面の上辺が原稿台の奥側の辺に対向する状態から左に９０度（または略９０度）回転した姿勢となるように読み取り面を下にして載置することが「左向き」に相当する。
【００５４】
ステップＳ１１０においてプロセッサー１０は、ＩＤカードコピー機能のオンと、原稿セット方向として「上向き」を仮設定し、図７に示すようにＩＤカードコピー機能としてオンが選択されていることを示す画面を表示する。図７に示すＩＤカードコピー設定画面が表示されている状態で、ユーザーが、変更を確定してその他の設定画面に戻る操作（ＯＫボタンＢｏｋの操作）を行うと、プロセッサー１０は、ステップＳ１１０において仮設定していた設定値を本設定し、その他の設定画面を表示する（ステップＳ１１５）。なおプロセッサー１０は、設定データ２０ａのＩＤカードコピー機能をオンに更新し、ＩＤカードコピーにおける原稿セット方向を「上向き」に更新することで、仮設定値を本設定する。またプロセッサー１０は、図７に示すＩＤカードコピー設定画面の表示を終了して図８に示すその他の設定画面を表示する。図８では、ＩＤカードコピーはオンに設定されていることを示している。
【００５５】
なお、図７に示すＩＤカードコピー設定画面が表示されている状態で、仮に中止ボタンＢｃｌが操作された場合（図３には不図示）、プロセッサー１０はステップＳ１１０での仮設定値を破棄し、設定データ２０ａのＩＤカードコピーの設定値は変更しない。そしてプロセッサー１０は、図７に示すＩＤカードコピー設定画面の表示を終了しその他の設定画面に表示を戻す。
【００５６】
なお、ＩＤカードコピーのオフからオンへの変更は、図５に示すその他の設定画面が表示されている状態においてＩＤカードコピーオンボタンＢｉｃ２を操作することによっても可能である。
【００５７】
ステップＳ１１５の後、すなわち図８に示すその他の設定画面が表示されている状態で、ユーザーが戻るボタンＢｂｋを操作すると、プロセッサー１０は図４に示す基本設定画面（第１設定画面）に表示を戻す（ステップＳ１２０）。
【００５８】
続いて、図４に示す基本設定画面が表示されている状態で、ユーザーが出力原稿（本例においては第１設定項目に相当する）の設定値を「自動  Ａ４普通紙（ボタンＢｔａ）」から「トレイ２  Ａ４写真紙（ボタンＢｔ２）」に変更する操作を行うと、プロセッサー１０は出力原稿（第１設定項目）の設定値を「トレイ２  Ａ４写真紙」に変更する（ステップＳ１２５）。具体的にはプロセッサー１０は、設定データ２０ａの出力原稿の設定値を「トレイ２  Ａ４写真紙」を示す値で更新する。
【００５９】
続いて、プロセッサー１０は、第１設定画面において設定項目の設定値が変更されたことに応じて図２に示すショートカット操作部追加処理を実行する（ステップＳ１３０）。本例のシーケンスにおいてショートカット操作部追加処理が実行される場合、すなわち、ステップＳ１１０においてＩＤカードコピー機能がオンに変更され、ステップＳ１２５において出力原稿が「自動  Ａ４普通紙」から「トレイ２  Ａ４写真紙」に変更された場合、ステップＳ１３０では次のような処理が行われる。
【００６０】
すなわち、図２のステップＳ１０において、プロセッサー１０は判定部１１ａの機能により、整合性情報２０ｂに基づいて設定項目間で設定値の不整合が生じているか否かを判定する。本実施形態においては、ＩＤカードコピーがオン、かつ、出力原稿が「トレイ２  Ａ４写真紙」の組み合わせは、不整合な組み合わせであることが整合性情報２０ｂに定義されているため、不整合有と判定されステップＳ１５に進む。また、当該組み合わせは、第１パターンに該当することが整合性情報２０ｂに定義されている。したがってステップＳ１５においてプロセッサー１０は追加部１１ｂの機能により、第２パターンでない（第１パターンである）と判定する。そしてプロセッサー１０はステップＳ２０において、ＩＤカードコピー設定画面（第２設定画面）を呼び出すショートカット操作部を第１態様で第１設定画面に追加する。このように、図３のステップＳ１３０において、プロセッサー１０は、ＩＤカードコピー機能に関する設定値は自動変更しないため、不整合が生じたままの状態である。
【００６１】
図９は、ステップＳ１１０においてＩＤカードコピー機能がオンに変更され、ステップＳ１２０において出力原稿が「自動  Ａ４普通紙」から「トレイ２  Ａ４写真紙」に変更された場合の基本設定画面（第１設定画面）を示している。図９に示すＳ１は、ＩＤカードコピー設定画面へのショートカット操作部である。本例のシーケンスにおいて、ＩＤカードコピー設定画面へのショートカット操作部Ｓ１は、ＩＤカードコピーに関する設定値に関連する不整合が生じたままの状態であることを示すために、「！」マークが付加された状態（第１態様）で表示される。なおショートカット操作部Ｓ１は、基本設定画面の下部に位置する矩形領域に表示される。当該矩形領域には、その他の設定ボタンＢｓｏも表示されている。当該矩形領域には、その他の要因で追加された別の画面へのショートカット操作部が表示されていてもよい。
【００６２】
図１０は、図９に示すように、基本設定画面にＩＤカードコピー設定画面へのショートカット操作部Ｓ１が表示されている状態から始まるシーケンス図である。この状態において、ユーザーがショートカット操作部Ｓ１を操作すると、プロセッサー１０は、ＩＤカードコピー設定画面を表示する（ステップＳ２００）。すなわちユーザーは、基本設定画面からＩＤカードコピー設定画面を直接呼び出すことができる。そのため、ユーザーは容易に、不整合の原因となる設定を表す画面であるＩＤカードコピー設定画面を呼び出して設定値を確認することができる。また、必要があればユーザーはＩＤカードコピー機能に関する設定値（すなわち不整合の原因となる設定値）を容易に変更することができる。さらに、ユーザーがＩＤカードコピー機能に関する設定値（すなわち不整合の原因となる設定値）を変更する場合には、原稿セット方向の設定値（すなわち不整合の原因となる設定値に関連する他の設定値）も容易に確認し変更することができる。
（１−３）例２：
次に、設定項目間で設定値の不整合が生じた場合に、不整合を解消するように設定値を自動変更してショートカット操作部を追加する場合の例を、図１１のシーケンス図と、図４、図５、図１２、図１３の画面例を参照しながら説明する。図１１に示すシーケンス図は、図４に示す基本設定画面（本実施形態において第１設定画面に相当）がタッチパネルディスプレイ３０に表示されている状態から始まる。また本例では、設定項目の一つである倍率の初期値は「等倍」であり、図１１のシーケンス開始時点で倍率の設定値として初期値の「等倍」が設定された状態であるとして説明を行う。第２設定項目の設定値は、ユーザーが自ら設定変更して設定済みとなった場合の他に、初期値やデフォルト値として予め設定済みである場合がある。本例は後者である。
【００６３】
なお本実施形態においては、倍率は、基本設定画面（第１設定画面）ではなく図５に示すようにその他の設定画面に含まれている。ユーザーが基本設定画面のその他の設定ボタンＢｓｏ（第１操作部に相当）を操作すると、プロセッサー１０は操作受付処理部１１ｃの機能によりその他の設定画面を表示する。その他の設定画面においては、図５に示すように、倍率の設定値として例えば「等倍」、「自動」、「Ａ３→Ａ４  Ｂ４→Ｂ５」、「Ａ４→Ａ３  Ｂ５→Ｂ４」をユーザーは選択可能である。上記以外の倍率については、倍率に関する専用の設定画面である倍率設定画面（例えば図１２を参照。本例においては第２設定画面に相当する）においてユーザーは選択可能である。ユーザーがその他の設定画面（例えば図５）の倍率の詳細ボタンＢ２１を操作すると、プロセッサー１０は操作受付処理部１１ｃの機能により倍率設定画面（第２設定画面）を表示する。
【００６４】
図１１のシーケンス図の説明に戻る。タッチパネルディスプレイ３０に図４に示す基本設定画面が表示されている状態で、ユーザーがページ集約（本例においては第１設定項目に相当）の設定値を「しない」から「２イン１」に変更する操作を行うと、プロセッサー１０は、ユーザーの操作に応じてページ集約の設定値を「２イン１」に変更する（ステップＳ３００）。プロセッサー１０は設定データ２０ａのページ集約の設定値を「２イン１」に更新する。
【００６５】
続いてプロセッサー１０は、第１設定画面において設定項目の設定値が変更されたことに応じて図２に示すショートカット操作部追加処理を実行する（ステップＳ３０５）。本例のシーケンスにおいてショートカット操作部追加処理が実行される場合、すなわち、倍率（第２設定項目）の設定値は初期値の「等倍」であり、ステップＳ３００においてページ集約（第１設定項目）の設定値が「２イン１」に変更された場合、ステップＳ３０５では次のような処理が行われる。
【００６６】
倍率の設定値が「等倍（すなわち拡大や縮小は行わない）」であることと、出力原稿の１ページに２ページ分を集約する「２イン１」とが整合しない設定値の組み合わせであることが整合性情報２０ｂに定義されている。また、当該組み合わせは第２パターンに該当することが整合性情報２０ｂに定義されている。従って図２のステップＳ１０においてプロセッサー１０は判定部１１ａの機能により不整合有と判定する。また、ステップＳ１５においてプロセッサー１０は追加部１１ｂの機能により、第２パターンであると判定する。そのためステップＳ２５とステップＳ３０が実行される。
【００６７】
ステップＳ２５において、プロセッサー１０は追加部１１ｂの機能により、倍率（第２設定項目）の設定値を自動変更する。すなわち、プロセッサー１０は、整合性情報２０ｂを参照し、「２イン１」との不整合が解消するように倍率の設定値を自動的に変更する。具体的にはプロセッサー１０は、倍率の設定値を初期値の「等倍」から「自動」に変更する。倍率の設定値が「自動」になったことにより、ページ集約（第１設定項目）の設定値である「２イン１」との不整合は解消された状態となる。
【００６８】
ステップＳ３０において、プロセッサー１０は追加部１１ｂの機能により、倍率設定画面（第２設定画面）を呼び出すショートカット操作部を第２態様で基本設定画面（第１設定画面）に追加する。図１３に示すＳ２は、倍率設定画面（第２設定画面）へのショートカット操作部である。上記の例１とは異なり、「！」マークは付加されない状態（第２態様）で表示される。
【００６９】
図１４は、図１３に示すように、基本設定画面に倍率設定画面へのショートカット操作部Ｓ２が表示されている状態から始まるシーケンス図である。この状態において、ユーザーがショートカット操作部Ｓ２を操作すると、プロセッサー１０は、倍率設定画面を表示する（ステップＳ４００）。すなわちユーザーは、基本設定画面から倍率設定画面を直接呼び出すことができる。そのため、ユーザーは用意に倍率設定画面において倍率の設定値を確認することができる。
【００７０】
例えば、上述のように図１１のシーケンスの後に図１４のシーケンスが実行される場合、図１４のステップＳ４００では、プロセッサー１０は図１５に示す倍率設定画面を表示する。図１５では倍率の設定値が「自動」が設定された状態である。すなわち図１２に示すように「等倍」が設定された状態から図１５に示すように「自動」が設定された状態に変化したことを示している。以上のように、ユーザーはショートカット操作部Ｓ２を操作して倍率設定画面を表示させることにより倍率の設定値が「自動」であることを認識することできる。また、必要があればユーザーは倍率の設定値を変更することができる。
【００７１】
（２）第２実施形態：
第２実施形態では、基本設定画面（本実施形態においても第１設定画面に相当する）に含まれる設定項目の種類が第１実施形態と相違する。図１６は、第２実施形態における、コピー機能の基本設定画面を示す図である。第２実施形態においては、図１６に示すように、基本設定画面には次の設定項目が含まれる。すなわち、出力原稿に記録される記録剤の色（選択肢としてボタンＢｍｌ、Ｂｃｌ）、印刷濃度（印刷濃度設定画面を呼び出すボタンＢｄｅ）、画像の種類（選択肢としてボタンＢｌｌ、Ｂｌｉ、Ｂｉｉ）、出力原稿（選択肢としてボタンＢｔａ、Ｂｔ１、Ｂｔ２、Ｂｔ３、Ｂｔ４、Ｂｔ５）、倍率（選択肢としてボタンＢｃｅ、Ｂｃａ、Ｂｃ１と詳細ボタンＢ２１）、ページ集約（選択肢としてボタンＢｏｏ２、Ｂｏｂ２と詳細ボタンＢ２３）、印刷面（選択肢としてボタンＢｏｏ、Ｂｏｂと詳細ボタンＢ２２）、ＩＤカードコピー（選択肢としてボタンＢｉｃ１、Ｂｉｃ２と、詳細ボタンＢ２７）、綴じ位置（選択肢としてボタンＢｌｕ、Ｂｌｌ、Ｂｕｕ、Ｂｌｂ）の設定項目が含まれている。なお、基本設定画面に含まれないその他の設定項目については、第１実施形態と同様に、その他の設定画面、または、その他の設定画面を経由して呼び出し可能な各設定項目の専用の設定画面にて設定可能である。
【００７２】
第１実施形態の例１および例２は、第１設定項目は第１設定画面に含まれるが、第２設定項目は第１設定画面に含まれない構成であった。本実施形態の例３および例４においては、第２設定項目および第１設定項目の両方が第１設定画面に含まれる構成である。すなわち第２実施形態においては、同一画面内で、既に設定済みの設定項目の設定値に対し、新たに設定変更した設定項目の設定値が整合しない場合に、整合しない既に設定済みの方の設定項目の設定画面へのショートカット操作部が追加される。
【００７３】
（２−１）例３：
例３では例１と同様に、ＩＤカードコピーが第２設定項目に相当し、出力原稿が第１設定項目に相当する。例３のシーケンスを、図１７のシーケンス図と、図１６、図１８、図１９の画面例を参照しながら説明する。図１７に示すシーケンス図は、図１６に示す基本設定画面がタッチパネルディスプレイ３０に表示されている状態から始まる。
【００７４】
タッチパネルディスプレイ３０に図１６に示す基本設定画面が表示されている状態で、ユーザーがＩＤカードコピー（第２設定項目）の設定値をオフ（ボタンＢｉｃ１）からオン（ボタンｉｃ２）に変更する操作を行うと、プロセッサー１０は、ユーザーの操作に応じてＩＤカードコピーの設定値をオンに変更する（ステップＳ５００）。プロセッサー１０は設定データ２０ａのＩＤカードコピーの設定値をオンに更新し、図１８に示すようにＩＤカードコピーについてオン（ボタンＢｉｃ２）が選択されていることを示すように表示を更新する。
【００７５】
続いてプロセッサー１０は、第１設定画面の設定項目の設定値が変更されたことにより、図２に示すショートカット操作部追加処理を実行する（ステップＳ５０５）。この場合、ステップＳ１０において不整合無と判定されるため、ショートカット操作部は追加されない。
【００７６】
続いて、図１８に示す画面が表示されている状態でユーザーが出力原稿（第１設定項目）の設定値を「自動  Ａ４普通紙（ボタンＢｔａ）」から「トレイ２  Ａ４写真紙（ボタンＢｔ２）」に変更する操作を行うと、プロセッサー１０は、出力原稿の設定値を「トレイ２  Ａ４写真紙」に変更する。すなわちプロセッサー１０は、設定データ２０ａの出力原稿の設定値を「トレイ２  Ａ４写真紙」に更新する。続いてプロセッサー１０は、第１設定画面の設定項目の設定値が変更されたことにより、図２に示すショートカット操作部追加処理を実行する（ステップＳ５１５）。すなわちプロセッサー１０は、ステップＳ２０において、ＩＤカードコピー設定画面（第２設定画面）を呼び出すショートカット操作部を第１態様で基本設定画面（第１設定画面）に追加する。その結果、図１９に示すようにＩＤカードコピー設定画面へのショートカット操作部Ｓ１が「！」マークが付加された状態で追加される。
【００７７】
なお、図１９に示す画面が表示されている状態でユーザーがショートカット操作部Ｓ１を操作すると、図１０のシーケンス図と同様に、ＩＤカードコピー設定画面を基本設定画面からユーザーは直接呼び出すことができる。
【００７８】
（２−２）例４：
例４では例２と同様に、ページ集約が第１設定項目に相当する。例４のシーケンスを、図１６、図２０の画面例を参照しながら説明する。なお、例４のシーケンスは、第１実施形態の例２のシーケンス（図１１）で説明可能であるため、シーケンス図は図１１を参照しながら説明する。例４においては、図１１のシーケンスは、図１６に示す基本設定画面が表示された状態から始まる。すなわち、倍率として「等倍」が設定された状態であり、ページ集約は「しない」が設定された状態である。
【００７９】
図１６に示す画面が表示された状態で、ユーザーがページ集約（第１設定項目）の設定値を「しない」から「２イン１」に変更する操作を行うと、プロセッサー１０はページ集約の設定値を「２イン１」に変更する（ステップＳ３００）。すなわちプロセッサー１０は設定データ２０ａのページ集約の設定値を「２イン１」で更新する。
【００８０】
続いてプロセッサー１０は、ショートカット操作部追加処理を実行する（ステップＳ３０５）。すなわち、プロセッサー１０は、倍率（第２設定項目）の設定値を「等倍」から「自動」に自動変更し、倍率設定画面を呼び出すショートカット操作部を第２態様で基本設定画面に追加する。その結果、図２０に示すように、倍率設定画面へのショートカット操作部Ｓ２が「！」マークが付加されない状態で追加される。
【００８１】
なお、図２０に示す画面が表示されている状態でユーザーがショートカット操作部Ｓ２を操作すると、図１４のシーケンスと同様に、倍率設定画面を基本設定画面からユーザーは直接呼び出すことができる。
【００８２】
（３）他の実施形態：
以上の実施形態は本発明を実施するための例であり、ユーザーが第１設定画面に含まれる第１設定項目に対して設定した設定値が既に設定されている第２設定項目の設定値と整合しない場合に、第２設定項目を含む第２設定画面を呼び出すショートカット操作部を第１設定画面に追加し、整合する場合に、ショートカット操作部とは異なる第１操作部への操作を受け付けると、第１設定画面から第２設定画面を呼び出す限りにおいて、他にも種々の実施形態を採用可能である。例えば、電子機器は複合機の他にもディスプレイを有する（あるいはディスプレイに接続可能な）様々な機器を想定してよく、ＰＣやタブレット端末、スマートフォン等であってもよい。また例えば、表示制御プログラムは、複合機と通信して複合機の機能を利用するＰＣやタブレット端末、スマートフォン等で実行される複合機のドライバープログラムに含まれていてもよい。
【００８３】
複合機や、複合機のドライバープログラムに本発明が適用される場合も、コピー機能に関する設定に限定されない。プリント機能、スキャン機能、ＦＡＸ機能など、様々な機能に関する設定に本発明を適用可能である。
【００８４】
判定部は、ユーザーが第１設定画面に含まれる第１設定項目に対して設定した設定値が既に設定されている第２設定項目の設定値と整合するか否かを判定することができればよい。上記実施形態では、コピー機能の設定画面として最初に表示される基本設定画面が第１設定画面に相当し、その他の画面は第１設定画面に相当しない構成であったが、基本設定画面以外の画面が第１設定画面に相当する構成であってもよい。また、基本設定画面以外の画面および基本設定画面が、状況に応じて第１設定画面になる構成であってもよい。
【００８５】
具体的には例えば、図４に示す基本設定画面において、出力原稿として「トレイ２  Ａ４写真紙」が選択され、続いて図５に示すその他の設定画面においてＩＤカードコピー機能がオンに設定された場合、ＩＤカードコピー機能がオンに設定されたことに応じて判定部による判定が実施されてもよい。そして、ＩＤカードコピーの「オン」と出力原稿の「Ａ４写真紙」とが不整合と判定された結果、出力原稿の設定箇所を含む画面（この場合、基本設定画面）へのショートカット操作部をその他の設定画面に追加する構成であってもよい。また、図６に示すＩＤカードコピー設定画面においてＩＤカードコピー機能をオンにしたことに応じて判定部による判定が行われてもよい。そして、ＩＤカードコピーの「オン」と出力原稿の「Ａ４写真紙」とが不整合有と判定された結果、出力原稿の設定箇所を含む画面（この場合、基本設定画面）への設定箇所を含む画面へのショートカット操作部を図７のＩＤカードコピー設定画面に追加する構成であってもよい。
【００８６】
追加部は、ユーザーが第１設定画面に含まれる第１設定項目に対して設定した設定値が既に設定されている第２設定項目の設定値と整合しない場合に、第２設定項目を含む第２設定画面を呼び出すショートカット操作部を第１設定画面に追加することができればよい。例えば、第１設定項目の設定値と整合しない第２設定項目に相当する設定項目が２個以上存在する場合、追加部は、２個以上の各第２設定項目に対応する第２設定画面へのショートカット操作部をそれぞれ追加してもよい。
【００８７】
また例えば、既に設定されている第２設定項目の設定値と新たに設定された第１設定項目の設定値とが整合しない場合、第２設定項目を設定するための専用の第２設定画面へのショートカット操作部を第１設定画面に追加することに加えて、第１設定項目を設定するための専用の設定画面へのショートカット操作部を第１設定画面に追加してもよい。
【００８８】
また、ショートカット操作部はショートカット操作部表示用に割り当てられた画面内の領域に追加されてもよいし、第１設定項目の近傍に追加されてもよい。第２設定項目が第１設定画面に含まれる場合は、第２設定項目の近傍に追加されてもよい。あるいは、設定変更後の最終的な処理（上記実施形態においてはコピー）の実行開始を指示する前にユーザーが設定値の不整合に気付きやすいように、実行開始ボタン（例えばコピースタートボタン）の近傍にショートカット操作部が追加されてもよい。
【００８９】
また、第２設定画面には、新たに設定変更された第１設定項目の設定値と不整合な第２設定項目以外の設定項目（すなわち第１設定項目の設定値と整合する設定項目）が含まれていても良い。その場合、ユーザーがスクロール操作等をする必要がないように、ショートカット操作部が操作されると第２設定画面内においてユーザーが発見しやすい位置に不整合な第２設定項目が表示された状態となるように第２設定画面内の表示対象領域を制御してもよい。
【００９０】
なお、ショートカット操作部に対する操作が行われた場合の処理をユーザーが変更することができてもよい。上記実施形態の場合は、ショートカット操作部に対する操作が行われた場合の処理として、対応する画面を呼び出す処理が対応付けられていたが、例えば、ショートカット操作部に対する操作が行われると、対応する設定項目の画面を呼び出す処理を実行せずに、対応する設定項目の設定値を不整合が解消するように自動変更する処理を実行するように、ユーザーが変更することができてもよい。
【００９１】
操作受付処理部は、ユーザーが第１設定画面に含まれる第１設定項目に対して設定した設定値が既に設定されている第２設定項目の設定値と整合する場合に、ショートカット操作部とは異なる第１操作部への操作を受け付けると、第１設定画面から第２設定画面を呼び出すことができればよい。すなわち、少なくとも設定項目間に不整合が生じていない場合に第１操作部が有効な状態で第１設定画面に含まれていればよい。従って例えば、設定項目間に不整合が生じている場合には、第１操作部が有効な状態で第１設定画面に含まれていなくてもよい（第１設定画面に含まれるが第１操作部は無効であってもよいし、第１設定画面に第１操作部が含まれなくてもよい）。
【００９２】
なお、例えば、第２設定画面が第２設定項目専用の設定画面でない場合（第２設定画面には第２設定項目以外の設定項目も含まれる場合）、第１操作部は、第１設定画面から直接的に第２設定画面を呼び出すことができる操作部として機能してもよい。
【００９３】
操作は、タッチ操作に限られず様々な操作を採用できる。例えば、ドラッグ操作やジェスチャー操作であってもよいし、マウスやキーボードを用いた操作であってもよい。
【００９４】
第２設定画面を表示中は、第１設定画面を非表示としてもよいし、第１設定画面の上に第２設定画面を重畳表示することで、第１設定画面の一部が表示されていても良い。
【００９５】
さらに、本発明のように、ユーザーが第１設定画面に含まれる第１設定項目に対して設定した設定値が既に設定されている第２設定項目の設定値と整合しない場合に、第２設定項目を含む第２設定画面を呼び出すショートカット操作部を第１設定画面に追加し、整合する場合に、ショートカット操作部とは異なる第１操作部への操作を受け付けると、第１設定画面から第２設定画面を呼び出す手法は、プログラムや方法としても適用可能である。また、以上のようなシステム、プログラム、方法は、単独の装置として実現される場合もあれば、複数の装置が備える部品を利用して実現される場合もあり、各種の態様を含むものである。また、一部がソフトウェアであり一部がハードウェアであったりするなど、適宜、変更可能である。さらに、システムを制御するプログラムの記録媒体としても発明は成立する。むろん、そのプログラムの記録媒体は、磁気記録媒体であってもよいし半導体メモリーであってもよいし、今後開発されるいかなる記録媒体においても全く同様に考えることができる。
【符号の説明】
【００９６】
１…複合機、１０…プロセッサー、１１…表示制御プログラム、１１ａ…判定部、１１ｂ…追加部、１１ｃ…操作受付処理部、２０…不揮発性メモリー、２０ａ…設定データ、２０ｂ…整合性情報、２０ｃ…表示データ、３０…タッチパネルディスプレイ、４０…通信部、５０…印刷部、６０…読取部、Ｓ１…ショートカット操作部、Ｓ２…ショートカット操作部
【図１】
2020017166.tif 000003
【図２】
2020017166.tif 000004
【図３】
2020017166.tif 000005
【図４】
2020017166.tif 000006
【図５】
2020017166.tif 000007
【図６】
2020017166.tif 000008
【図７】
2020017166.tif 000009
【図８】
2020017166.tif 000010
【図９】
2020017166.tif 000011
【図１０】
2020017166.tif 000012
【図１１】
2020017166.tif 000013
【図１２】
2020017166.tif 000014
【図１３】
2020017166.tif 000015
【図１４】
2020017166.tif 000016
【図１５】
2020017166.tif 000017
【図１６】
2020017166.tif 000018
【図１７】
2020017166.tif 000019
【図１８】
2020017166.tif 000020
【図１９】
2020017166.tif 000021
【図２０】
2020017166.tif 000022